(57)【要約】【課題】画像形成装置における現像剤担持体への駆動伝達装置において、初期的にも経時的にも現像剤担持体を安定して精度よく回転することができるようにする。【解決手段】ロータリ式現像装置１４に４つの現像器２２を設ける。各現像器には、それぞれ現像ローラ（現像剤担持体）２５を備え、そのローラ軸５２にマグネット取付部５２ａを形成し、現像位置にある現像器のマグネット取付部端面に、マグネット５３を接着等により固定する。そのマグネットは、空隙ｓを隔てて対向する対のマグネット５４とでマグネティックカップリング５５を構成する。対のマグネット５４は、複写機装置本体１０内で適宜支持する駆動ユニット５６の回転軸５７に固定する。これにより、駆動源である駆動ユニットからの回転力をマグネティックカップリング５５を介して現像ローラ２５に伝達する。【選択図】　　　　図３
2004085593.tif 000002
【特許請求の範囲】
【請求項１】
現像剤担持体を回転して現像剤を搬送し、その現像剤を像担持体に付着してその像担持体上の潜像を現像する画像形成装置における現像担持体への駆動伝達装置において、
駆動源からの回転力をマグネティックカップリングを介して前記現像剤担持体に伝達することを特徴とする、現像担持体への駆動伝達装置。
【請求項２】
前記マグネティックカップリングを構成する一対のマグネット間に空隙を設けることを特徴とする、請求項１に記載の現像担持体への駆動伝達装置。
【請求項３】
前記駆動源としてモータを用いることを特徴とする、請求項１に記載の現像担持体への駆動伝達装置。
【請求項４】
請求項１ないし３のいずれか１に記載の現像担持体への駆動伝達装置を備えることを特徴とする、画像形成装置。
【請求項５】
現像剤担持体を回転して現像剤を搬送し、その現像剤を像担持体に付着してその像担持体上の潜像を現像する画像形成装置における現像担持体への駆動伝達方法において、
駆動源からの回転力をマグネティックカップリングを介して前記現像剤担持体に伝達することを特徴とする、現像担持体への駆動伝達方法。
【請求項６】
現像剤担持体を回転して現像剤を搬送し、その現像剤を像担持体に付着してその像担持体上の潜像を現像する画像形成装置における現像担持体への駆動伝達装置において、
駆動装置により順次オンオフする複数の電磁石を周方向に並べて備える固定出力部材と、その固定出力部材の電磁石による磁気的作用を受けて回転して前記現像剤担持体を回転する回転入力部材とを備えることを特徴とする、現像担持体への駆動伝達装置。
【発明の詳細な説明】
【０００１】
【発明の属する技術分野】
この発明は、例えば、複写機、プリンタ、ファクシミリ、またはそれらの複合機などの画像形成装置に適用し得る。特にそのうち、帯電してから書込みを行って像担持体上に静電潜像を形成し、その静電潜像を現像装置でトナーを付着することにより可視像化して像担持体上に画像を形成し、その画像を転写して、用紙・ＯＨＰフィルム・中間転写体等の転写材に画像を記録する、電子写真式の画像形成装置に関する。ならびに、そのような電子写真式の画像形成装置で用いる現像装置において、回転して現像剤を搬送し、その現像剤を像担持体に付着してその像担持体上の潜像を現像する現像剤担持体に関し、詳しくはその現像剤担持体への駆動伝達装置および駆動伝達方法に関する。
【０００２】
【従来の技術】
従来、画像形成装置では、例えば図１３に示すような駆動伝達装置を用いて駆動源からの回転力を、現像装置に備える現像剤担持体に伝達していた。
【０００３】
図中符号１が現像剤担持体である現像ローラであり、そのローラ軸２には現像ローラギヤ３を固定する。現像装置には、また現像剤を攪拌する攪拌部材として２つのスクリュを備え、それらのスクリュにも各々スクリュギヤ４を固定していた。そして、現像ローラギヤ３と２つのスクリュギヤ４にそれぞれ１つの中間ギヤ５を噛み合わせ、その中間ギヤ５に外部の駆動ギヤ６を噛み合わせていた。
【０００４】
これにより、モータ等の不図示の駆動源からの回転力を駆動ギヤ６に伝達し、中間ギヤ５を介して現像ローラギヤ３および２つのスクリュギヤ４を回転し、現像ローラ１とともに不図示のスクリュを回転して現像剤を攪拌して現像装置で現像ローラ１に現像剤を付着し、現像ローラ１を回転して現像剤を搬送し、その現像剤を像担持体に付着してその像担持体上の潜像を現像していた。
【０００５】
ところで、バンディングなどに起因する濃度ムラ（単色の場合に濃度の異なる筋状のムラ）や色相ムラ（多色の場合に筋状に色合いの異なるムラ）をなくす上で、現像ローラ１等の現像剤担持体を精度よく回転させることは重要である。従来の画像形成装置では、上述したように、現像剤担持体への駆動伝達は、通常はギヤを用いて行っていた。このため、現像剤担持体に至るまでのギヤの数や、各ギヤ精度を高める必要がある。近年、成形加工技術が向上するとともに、平歯車からはすば歯車へ変更するなどして、現像剤担持体の回転精度は向上している。
【０００６】
また、現像ローラ１等の現像剤担持体と現像ローラギヤ３との相対回転位置精度により、１回転ごとにムラが発生することも知られている。このため、図１４（Ａ）に示すようにＤカット精度を高めたり、（Ｂ）に示すようにピン７の係合精度を向上したりして、ローラ軸２上への現像ローラギヤ３の取り付け精度を向上していた。
【０００７】
【発明が解決しようとする課題】
ところが、この種の画像形成装置にあっては、初期的には良好な画像を得ることができても、長い間使用するうちにギヤが磨耗し、現像ローラ１等の現像剤担持体を精度よく回転することができず、バンディングなどに起因する濃度ムラや色相ムラを生じて画像品質を低下する問題があった。
【０００８】
そこで、この発明の第１の目的は、上述したような画像形成装置における現像剤担持体への駆動伝達装置において、初期的にも経時的にも現像剤担持体を安定して精度よく回転することができるようにすることにある。
【０００９】
この発明の第２の目的は、できるだけ接触をなくして磨耗も解消するとともに、ロータリ式現像装置への適用も容易とすることにある。
【００１０】
この発明の第３の目的は、モータを用いて現像剤担持体を安定して確実に回転することにある。
【００１１】
この発明の第４の目的は、上記目的を達成した駆動伝達装置を備える画像形成装置を提供することにある。
【００１２】
この発明の第５の目的は、モータ等を不要としてモータ軸等の振れをなくし、色相ムラ等の発生をなくして画像品質の低下を防止することにある。
【００１３】
【課題を解決するための手段】
そのため、請求項１に記載の発明は、上記第１の目的を達成すべく、
現像剤担持体を回転して現像剤を搬送し、その現像剤を像担持体に付着してその像担持体上の潜像を現像する画像形成装置における現像担持体への駆動伝達装置において、
駆動源からの回転力をマグネティックカップリングを介して現像剤担持体に伝達することを特徴とする。
【００１４】
請求項２に記載の発明は、上記第２の目的を達成すべく、請求項１に記載の現像担持体への駆動伝達装置において、マグネティックカップリングを構成する一対のマグネット間に空隙を設けることを特徴とする。
【００１５】
請求項３に記載の発明は、上記第３の目的を達成すべく、請求項１に記載の現像担持体への駆動伝達装置において、駆動源としてモータを用いることを特徴とする。
【００１６】
請求項４に記載の発明は、上記第４の目的を達成すべく、画像形成装置において、請求項１ないし３のいずれか１に記載の現像担持体への駆動伝達装置を備えることを特徴とする。
【００１７】
請求項５に記載の発明は、上記第１の目的を達成すべく、
現像剤担持体を回転して現像剤を搬送し、その現像剤を像担持体に付着してその像担持体上の潜像を現像する画像形成装置における現像担持体への駆動伝達方法において、
駆動源からの回転力をマグネティックカップリングを介して現像剤担持体に伝達することを特徴とする。
【００１８】
請求項６に記載の発明は、上記第５の目的を達成すべく、
現像剤担持体を回転して現像剤を搬送し、その現像剤を像担持体に付着してその像担持体上の潜像を現像する画像形成装置における現像担持体への駆動伝達装置において、
駆動装置により順次オンオフする複数の電磁石を周方向に並べて備える固定出力部材と、その固定出力部材の電磁石による磁気的作用を受けて回転して現像剤担持体を回転する回転入力部材とを備えることを特徴とする。
【００１９】
【発明の実施の形態】
以下、図面を参照しつつ、この発明の実施の形態につき説明する。
図１には、この発明による現像剤担持体への駆動伝達装置を備えるカラー複写機であり、その複写機装置本体内の全体概略構成を示す。
【００２０】
図中符号１０で示す複写機装置本体には、その外装ケース１１内の上部中央やや右寄りに、ドラム状の像担持体１２を前後に向けて備える。像担持体１２のまわりには、その上に設ける帯電装置１３から図中矢示する回転方向（反時計方向）に順に、ロータリ式現像装置１４、中間転写装置１５、クリーニング前除電装置１６ａ・クリーニング装置１６、帯電前除電装置１３ａを設ける。それら帯電装置１３・現像装置１４・クリーニング装置１６・帯電前除電装置１３ａの上には、レーザ書込み装置１８を備える。
【００２１】
ロータリ式現像装置１４は、図２に示すように、現像支持体２０で連結する前後のユニット側板２１間で、イエロ・マゼンタ・シアン・ブラックの各色のトナーを収納する現像器２２Ａ・２２Ｂ・２２Ｃ・２２Ｄを支持するとともに、それらに対応して同色のトナーを収納するトナーカートリッジ２３Ａ・２３Ｂ・２３Ｃ・２３Ｄを支持する。
【００２２】
各色の現像器２２Ａ・２２Ｂ・２２Ｃ・２２Ｄは、それぞれ現像ケース２４内に、現像ローラ（現像剤担持体）２５・第１搬送スクリュ２６・第２搬送スクリュ２７・現像ドクタ２８を収納してなる。そして、第２搬送スクリュ２７から第１搬送スクリュ２６に、第１搬送スクリュ２６から現像ローラ２５にトナーを搬送し、現像ローラ２５に付着したトナーを現像ドクタ２８で薄層化する。
【００２３】
各色のトナーカートリッジ２３Ａ・２３Ｂ・２３Ｃ・２３Ｄは、それぞれカートリッジガイド２９に着脱自在に取り付ける。カートリッジガイド２９には、トナー補給スクリュ３０を設ける。そして、各トナーカートリッジ内のトナーを該トナー補給スクリュ３０で、それぞれ個別に、対応する現像ケース２４内に補給する。
【００２４】
このように構成した現像装置１４は、現像支持体２０の中心に設ける中心軸３１まわりに回動して、各色の現像器２２Ａ・２２Ｂ・２２Ｃ・２２Ｄの現像ローラ２５を、適宜選択的に像担持体１２の外周に対向できるようにする。
【００２５】
次に、中間転写装置１５は、図１に示すように、複数のローラ３３にエンドレスベルト状の中間転写体３４を掛け渡し、その一部を像担持体１２に接触する。中間転写体３４の外周には、転写装置３５とベルトクリーニング装置３６とベルト除電装置３７を設ける。ベルトクリーニング装置３６は、中間転写体３４に対して適宜接離自在とする。
【００２６】
レーザ書込み装置１８は、公知のとおり、光学読取り装置３８による読取り内容に応じてレーザ光Ｌを照射して書込みを行い、像担持体１２上に静電潜像を形成する。光学読取り装置３８は、装置本体１０の上面に備えるコンタクトガラス３９上にセットした原稿の内容を読み取る。
【００２７】
また、図１中符号４０は、図中右から左へと用紙等の転写材を搬送する転写材搬送路である。転写材搬送路４０には、対向する中間転写装置１５と転写装置３５の手前に複数対の搬送ローラ対４１、レジストローラ対４２を備え、後に搬送ベルト４３、定着装置４４、排紙ローラ対４５を備える。
【００２８】
図示省略するが、装置本体１０は、たとえば給紙装置上に載置する。そして、その給紙装置から送り出した転写材を、装置本体１０内の自動給紙路４７を通して転写材搬送路４０へと導く。また、装置本体１０の右側面には、手差しトレイ４８を開閉自在に備える。そして、開いた手差しトレイ４８で案内して挿入した転写材を、装置本体１０内の手差し給紙路４９を通して転写材搬送路４０へと導く。反対に、装置本体１０の左側面には、排紙トレイ５０を着脱自在に取り付ける。そして、転写材搬送路４０を通して排紙ローラ対４５で排出した転写材をその排紙トレイ５０で受ける。
【００２９】
さていま、このカラー複写機を用いてカラーコピーを取るときには、通常通り、コンタクトガラス３９上に原稿をセットし、図示しないスタートスイッチを押す。すると、給紙装置から送り出した転写材を自動給紙路４７を通して転写材搬送路４０へと導き、または手差しトレイ４８上にセットした転写材を手差し給紙路４９を通して転写材搬送路４０へと導き、搬送ローラ対４１で搬送してレジストローラ対４２に突き当てて止める。
【００３０】
同時に、光学読取り装置３８を作動して原稿面に沿って走査し、コンタクトガラス３９上にセットした原稿の内容を読み取る。また、像担持体１２を図中反時計方向に回転するとともに、複数のローラ３３の回転で中間転写体３４を時計方向に搬送する。そして、像担持体１２の回転にともない、まずその表面を帯電装置１３で一様に帯電し、次いで光学読取り装置３８の読取り内容に応じてレーザ書込み装置１８でレーザ光Ｌを照射し、第１色目の書込みを行って像担持体１２上に第１色目の静電潜像を形成する。
【００３１】
それから、像担持体１２の回転にともない、現像装置１４の第１色目の現像器２２Ａでトナーを付着してその静電潜像を可視像化し、第１色目の画像を形成してその単色画像を中間転写装置１５の中間転写体３４上に転写する。転写後の像担持体１２表面は、クリーニング効果を高めるためにクリーニング前除電装置１６ａで除電して後、第１色目の残留トナーをクリーニング装置１６で除去し、帯電前除電装置１３ａで除電する。
【００３２】
その後、同様に像担持体１２の回転にともない、一様に帯電し、第２色目の書込みを行い、現像装置１４を回転して像担持体１２に対向した第２色目の現像器２２Ｂを用いて現像し、像担持体１２上に形成した第２色目の単色画像を中間転写体３４上に第１色目の単色画像に重ね合わせて転写する。同じく、転写後の像担持体１２表面は、除電して後、クリーニングし、再び除電する。
【００３３】
第３色目の単色画像も同様に像担持体１２上に形成して中間転写体３４上に転写し、また必要があればブラックの画像も同様に像担持体１２上に形成して中間転写体３４上に転写し、結局中間転写体３４上に原稿内容に応じた合成カラー画像を形成する。
【００３４】
この後、中間転写体３４の搬送にタイミングを合わせてレジストローラ対４２を回転し、レジストローラ対４２に突き当てていた前述の転写材を中間転写装置１５と転写装置３５間に送り込む。そして、転写装置３５で、中間転写体３４上のカラー画像を該転写材上に転写する。その後、カラー画像転写後の転写材を搬送ベルト４３で搬送して定着装置４４に入れ、ローラ間で熱と圧力を加えて転写画像を定着する。定着後、排紙ローラ４５で排出して排紙トレイ５０上に順次スタックする。
【００３５】
一方、カラー画像転写後の中間転写体３４表面は、適宜タイミングでその中間転写体３４に押し当てたベルトクリーニング装置３６で残留トナーを除去し、除電装置３７で除電する。
【００３６】
ところで、各現像ローラ２５のローラ軸（従動軸）５２は、図３に示すように、一方のユニット側板２１を貫通して突出し、先端にマグネット取付部５２ａを形成してその端面にマグネット５３を接着等により固定する。マグネット５３には、図４に示すように、周方向にＮＳ交互に４つの磁極を設ける。そのマグネット５３は、同じく周方向にＮＳ交互に４つの磁極を設ける対のマグネット５４を空隙ｓを設けて対向する。
【００３７】
そして、互いの異なる磁極で吸引し合ってそれら一対のマグネット５３・５４でマグネティックカップリング５５を構成する。対のマグネット５４は、駆動源である駆動ユニット５６の回転軸（駆動軸）５７に固定する。駆動ユニット５６は、複写機装置本体１０内で適宜固定支持する。
【００３８】
これにより、回転軸５７とローラ軸５２とを空隙ｓを隔ててマグネティックカップリング５５を介して磁気的に連結し、駆動ユニット５６で回転軸５７を回転すると、その回転力をマグネティックカップリング５５を介して伝達し、現像ローラ２５を回転して現像剤を搬送し、その現像剤を像担持体１２に付着してその像担持体１２上の潜像を現像する。
【００３９】
図示例では、４つの磁極で互いに吸引するので、回転軸５７とローラ軸５２間をマグネティックカップリング５５で強固に連結することができる。なお、磁極は、マグネット５３・５４に着磁して形成してもよく、磁石を埋め込んで形成してもよい。
【００４０】
その後、現像装置１４を中心軸３１まわりに回動して次の現像器２２を像担持体１２の外周に対向すると、その次の現像器２２に備える現像ローラ２５のマグネット５３が、固定のマグネット５４と対向して対をなし、新たなマグネティックカップリング５５を構成する。そして、駆動ユニット５６の回転力を伝達して現像ローラ２５を回転し、次の現像器２２を用いて像担持体１２の潜像を現像する。
【００４１】
続いて、現像装置１４を中心軸３１まわりに回動してさらに次の現像器２２を像担持体１２の外周に対向すると、そのさらに次の現像器２２に備える現像ローラ２５のマグネット５３が、固定のマグネット５４と対向して対をなし、また新たなマグネティックカップリング５５を構成する。そして、駆動ユニット５６の回転力を伝達して現像ローラ２５を回転し、さらに次の現像器２２を用いて像担持体１２の潜像を現像する。
【００４２】
以上のように構成すると、駆動源からの回転力をマグネティックカップリング５５を介して現像ローラ２５に伝達するので、画像形成装置における現像ローラ２５への駆動伝達装置において、磨耗をなくし、初期的にも経時的にも現像ローラ２５を安定して精度よく回転することができる。
【００４３】
また、図示例によれば、マグネティックカップリング５５を構成する一対のマグネット５３・５４間に空隙を設けるので、できるだけ接触をなくして磨耗もなくすことができる。また、ロータリ式現像装置１４を備える画像形成装置に適用して、回転する現像装置側に一対のマグネットの一方を設け、駆動源側に他方を固定することにより、現像装置１４を回転するとき、次の現像剤担持体側のマグネット５３が駆動源側の固定のマグネット５４に衝突することを防いで、ロータリ式現像装置１４への適用も容易とすることができる。
【００４４】
さて次に、この発明を、タンデム式画像形成装置に適用した場合について説明する。
図５には、タンデム式プリンタの全体概略構成を示す。
【００４５】
図中符号６０は、プリンタ装置本体である。プリン体装置本体６０内には、２つのローラ６１間に掛け渡して転写材搬送ベルト６２を反時計まわりに回転搬送可能に設ける。転写材搬送ベルト６２内には、一定間隔置きに４つの転写装置６３を備える。また、転写材搬送ベルト６２上には、上流側から下流側に向けて順次、イエロ、マゼンタ、シアン、ブラックの４つの作像手段６４Ａ・６４Ｂ・６４Ｃ・６４Ｄを配置する。
【００４６】
各作像手段６４には、それぞれ転写材搬送ベルト６２を挟んで転写装置６３と対向してドラム状の像担持体６５を備える。そして、各像担持体６５のまわりには、それぞれ帯電装置６６、書込み装置６７、現像装置６８、クリーニング装置６９を設ける。
【００４７】
転写材搬送ベルト６２と４つの作像手段６４Ａ・６４Ｂ・６４Ｃ・６４Ｄ間には、転写材搬送路を形成し、その上流にレジストローラ７０を設け、下流に定着装置７１を設ける。
【００４８】
一方、転写材搬送ベルト６２の下方には、給紙カセット７２を多段に備える。各給紙カセット７２には、給紙部７３を設け、その給紙部７３からレジストローラ７０に向けて給紙路７４を形成する。
【００４９】
そして、画像形成時は、ホストからの信号に基づき、各作像手段６４でそれぞれの像担持体６５にイエロ、マゼンタ、シアン、ブラックの色別の画像を形成する。他方、給紙部７３で給紙カセット７２内から転写材を繰り出し、給紙路７４を通して搬送してその先端をレジストローラ７０に突き当てる。
【００５０】
次いで、像担持体６５の回転にタイミングを合わせてレジストローラ７０を回転して転写材を送り出し、その転写材に転写装置６３で像担持体６５上の画像を順次転写し、定着装置７１を通してその転写画像を定着して後、プリンタ装置本体６０に外付けする不図示のスタックトレイ上に排出する。
【００５１】
さて、このようなタンデム式画像形成装置にも、各作像手段６４の現像装置６８に現像ローラ（現像剤担持体）７６を設け、その現像ローラ７６を回転して現像剤を搬送し、その現像剤を各像担持体６５に付着してその各像担持体６５上の潜像を現像する。
【００５２】
各現像ローラ７６のローラ軸（従動軸）７７は、図６に示すように、両端を、現像装置６８の不図示の側板で軸受７８を介して支持する。そして、側板を貫通して突出する先端に、軸方向にＮＳ着磁するマグネット８０を固定する。そのマグネット８０は、同様に軸方向にＮＳ着磁する対のマグネット８１を磁気的に吸引して密着する。そして、一対のマグネット８０・８１でマグネティックカップリング８２を構成する。
【００５３】
対のマグネット８１は、不図示のモータ（駆動源）からの回転力が伝達される回転軸（駆動軸）８３に固定する。モータおよび回転軸８３は、プリンタ装置本体６０内で適宜支持する。
【００５４】
そして、回転軸８３とローラ軸７７とをマグネティックカップリング８２を介して磁気的に連結し、不図示のモータで回転軸８３を回転すると、その回転力をマグネティックカップリング８２を介して伝達し、各現像装置６８の現像ローラ７６を回転して現像剤を搬送し、その現像剤を像担持体６５に付着してそれぞれの像担持体６５上の潜像を現像する。
【００５５】
なお、上述した例では、マグネット８０・８１を軸方向に着磁したが、図７に示すように軸方向と直交する方向に着磁し、互いのＮ極が相手方のＳ極に吸着して駆動源からの回転力をマグネティックカップリング８２を介して現像ローラ７６に伝達するようにしてもよい。
【００５６】
以上のように構成すると、モータ８４から回転軸８３を介して伝達される回転力をマグネティックカップリング８２を介して現像ローラ７６に伝達するので、画像形成装置における現像ローラ７６への駆動伝達装置において、磨耗をなくし、初期的にも経時的にも現像ローラ２５を安定して精度よく回転することができる。
【００５７】
ところで、この図示タンデム式プリンタでも、現像装置６８には、現像剤を攪拌する攪拌部材として２つのスクリュを備え、それらのスクリュにも図８に示すように各々スクリュギヤ８５を固定する。そして、それらのスクリュギヤ８５には、図９にも示すように駆動ギヤ８６を噛み合わす。駆動ギヤ８６は、プリンタ装置本体６０内に適宜支持し、不図示の別のモータからの回転力が伝達されて回転する回転軸８７に固定する。
【００５８】
さて、上述した現像剤担持体への駆動伝達装置では、モータ等の駆動源からの回転力をマグネティックカップリングを介して現像剤担持体に伝達した。しかし、例えば図１０（Ａ）に示すように、現像ローラ（現像剤担持体）のローラ軸９０上に円板状の回転入力部材９１を固定し、それに対向して画像形成装置本体側に（Ｂ）に示す固定出力部材９２を固定して備えるようにしてもよい。
【００５９】
回転出力部材９１には、ローラ軸９０を挟んで対称位置を図示例ではともにＳ極に着磁する。他方、固定出力部材９２には、複数の電磁石９３を周方向に並べて備える。固定出力部材９２は、例えば図１１に示すように、アルミニウムダイカスト９４に取り付けて設ける。電磁石９３は、図１０（Ｃ）に示すように鉄心９５にコイル９６を巻き付けて構成する。
【００６０】
そして、不図示の駆動装置によりコイル９６に電流を流したり止めたりして固定出力部材９２の複数の電磁石９３を周方向に順次オンオフすることにより、電磁石９３の磁気的作用を受けて回転入力部材９１を回転する。つまり、電磁石９３を順次オンオフすることにより周方向に順にＮ極を生じ、回転出力部材９１のＳ極を順次吸引して固定出力部材９２で回転出力部材９１をローラ軸９０を中心として回転する。
【００６１】
これにより、ローラ軸９０とともに現像ローラを回転して現像剤を搬送し、その現像剤を像担持体に付着してその像担持体上の潜像を現像する。
【００６２】
例えば図１２に示す従来例では、モータ１００のモータ軸１０１の先端に、不図示の現像剤担持体を回転する駆動ギヤ１０２を固定するから、モータ１００を駆動して現像剤担持体を回転するとき、モータ軸１０１が振れを生じて色相ムラ等を発生し、画像品質が低下する問題があった。しかし、図１０に示すように構成すると、モータ１００等を不要としてモータ軸１０１等の振れをなくし、色相ムラ等の発生をなくして画像品質の低下を防止することができる。
【００６３】
【発明の効果】
以上説明したとおり、請求項１に記載の発明によれば、駆動源からの回転力をマグネティックカップリングを介して現像剤担持体に伝達するので、画像形成装置における現像剤担持体への駆動伝達装置において、磨耗をなくし、初期的にも経時的にも現像剤担持体を安定して精度よく回転して現像ムラをなくすすることができる。
【００６４】
請求項２に記載の発明によれば、マグネティックカップリングを構成する一対のマグネット間に空隙を設けるので、できるだけ接触をなくして磨耗も解消することができる。また、ロータリ式現像装置を備える画像形成装置に適用して、回転する現像装置側に一対のマグネットの一方を設け、駆動源側に他方を固定することにより、現像装置を回転するとき、次の現像剤担持体側のマグネットが駆動源側の固定のマグネットに衝突することを防いで、ロータリ式現像装置への適用も容易とすることができる。
【００６５】
請求項３に記載の発明によれば、駆動源としてモータを用いるので、モータを用いて現像剤担持体を安定して確実に回転することができる。
【００６６】
請求項４に記載の発明によれば、請求項１ないし３のいずれか１に記載の現像担持体への駆動伝達装置を備えるので、上記効果を有する駆動伝達装置を備える画像形成装置を提供することができる。
【００６７】
請求項５に記載の発明によれば、駆動源からの回転力をマグネティックカップリングを介して現像剤担持体に伝達するので、画像形成装置における現像剤担持体への駆動伝達方法において、請求項１に係る発明と同様に、磨耗をなくし、初期的にも経時的にも現像剤担持体を安定して精度よく回転することができる。
【００６８】
請求項６に記載の発明によれば、駆動装置により順次オンオフする複数の電磁石を周方向に並べて備える固定出力部材と、その固定出力部材の電磁石による磁気的作用を受けて回転して現像剤担持体を回転する回転入力部材とを備えるので、モータ等を不要としてモータ軸等の振れをなくし、色相ムラ等の発生をなくして画像品質の低下を防止することができる。
【図面の簡単な説明】
【図１】この発明による現像剤担持体への駆動伝達装置を備えるカラー複写機であり、その複写機装置本体内の全体概略構成図である。
【図２】そのロータリ式現像装置の全体概略構成図である。
【図３】そのロータリ式現像装置に備える現像剤担持体への駆動伝達装置を示す斜視図である。
【図４】その駆動伝達装置のマグネティックカップリングを示す斜視図である。
【図５】この発明による現像剤担持体への駆動伝達装置を備えるタンデム式プリンタの全体概略構成図である。
【図６】その現像剤担持体への駆動伝達装置を示す説明図である。
【図７】その現像剤担持体への駆動伝達装置の他例を示す斜視図である。
【図８】図５に示すタンデム式プリンタにおいて、その現像装置に備える現像剤攪拌部材への回転伝達装置を示す斜視図である。
【図９】その回転伝達装置のギヤ噛み合い状態図である。
【図１０】現像剤担持体への駆動伝達装置のさらに他例を示す図で、（Ａ）は現像装置側の回転入力部材、（Ｂ）は駆動装置側の固定出力部材、（Ｃ）はその電磁石を示す。
【図１１】その固定出力部材の取り付け状態の一例を示す斜視図である。
【図１２】従来の現像剤担持体への駆動伝達装置の一例を示す図である。
【図１３】従来の駆動伝達装置の他例のギヤ噛み合い状態図である。
【図１４】回転軸への駆動ギヤの取り付け状態を示す斜視図で、（Ａ）はＤカット係合、（Ｂ）はピン係合の場合を示す。
【符号の説明】
１２　　像担持体
１４　　ロータリ式現像装置
２２　　現像器
２５　　現像ローラ（現像剤担持体）
５２　　ローラ軸
５３　　マグネット
５４　　マグネット
５５　　マグネティックカップリング
５６　　駆動ユニット（駆動源）
５７　　回転軸
６５　　像担持体
７６　　現像ローラ（現像剤担持体）
８０　　マグネット
８１　　マグネット
８２　　マグネティックカップリング
９１　　回転入力部材
９２　　固定出力部材
９３　　電磁石
ｓ　　空隙
【図１】
2004085593.tif 000003
【図２】
2004085593.tif 000004
【図３】
2004085593.tif 000005
【図４】
2004085593.tif 000006
【図５】
2004085593.tif 000007
【図６】
2004085593.tif 000008
【図７】
2004085593.tif 000009
【図８】
2004085593.tif 000010
【図９】
2004085593.tif 000011
【図１０】
2004085593.tif 000012
【図１１】
2004085593.tif 000013
【図１２】
2004085593.tif 000014
【図１３】
2004085593.tif 000015
【図１４】
2004085593.tif 000016